(57)【要約】      （修正有）【課題】物品の温度管理を簡易に行う。【解決手段】周囲の温度が所定の第１温度を超えている場合に前記第１温度と前記周囲の温度との温度差及び前記周囲の温度が当該第１温度を超えている時間の積である第１累積温度に基づいて色が変化する第１示温塗料が塗布された部分を含む画像を取得する取得部と、前記第１示温塗料の色と前記第１累積温度との対応関係を示す第１データを格納する記憶部１２０と、前記画像に含まれる前記第１示温塗料の色と、前記第１データとに基づいて、前記第１示温塗料の色に対応する前記第１累積温度を算出する演算部１１０とを備え、前記第１示温塗料は、測定対象物に直接的又は間接的に塗布されている、温度管理装置とする。【選択図】図１
2018155514.tif 000002
【特許請求の範囲】
【請求項１】
周囲の温度が所定の第１温度を超えている場合に前記第１温度と前記周囲の温度との温度差及び前記周囲の温度が当該第１温度を超えている時間の積である第１累積温度に基づいて色が変化する第１示温塗料が塗布された部分を含む画像を取得する取得部と、
前記第１示温塗料の色と前記第１累積温度との対応関係を示す第１データを格納する記憶部と、
前記画像に含まれる前記第１示温塗料の色と、前記第１データとに基づいて、前記第１示温塗料の色に対応する前記第１累積温度を算出する演算部とを備え、
前記第１示温塗料は、測定対象物に直接的又は間接的に塗布されている、
温度管理装置。
【請求項２】
前記取得部は、前記周囲の温度が前記第１温度よりも高い第２温度を超えている場合に前記第２温度と前記周囲の温度との温度差及び前記周囲の温度が前記第２温度を超えている時間の積である第２累積温度に基づいて色が変化する第２示温塗料が塗布された部分をさらに含む前記画像を取得し、
前記記憶部は、前記第２示温塗料の色と前記第２累積温度との対応関係を示す第２データを格納し、
前記演算部は、前記画像に含まれる前記第２示温塗料の色と、前記第２データとに基づいて、前記第２示温塗料の色に対応する前記第２累積温度を算出し、
前記第２示温塗料は、前記第１示温塗料とともに、前記測定対象物に直接的又は間接的に塗布されている、
請求項１に記載の温度管理装置。
【請求項３】
前記取得部で取得した前記画像、前記演算部の演算結果、所定の条件を満たしていない前記測定対象物の情報のうちいずれか１つ以上を表示する表示部を有する
請求項１に記載の温度管理装置。
【請求項４】
周囲の温度が所定の第１温度を超えている場合に前記第１温度と前記周囲の温度との温度差及び前記周囲の温度が当該第１温度を超えている時間の積である第１累積温度に基づいて色が変化する第１示温塗料が塗布された部分を含む画像を取得し、
前記画像に含まれる前記第１示温塗料の色と、前記第１示温塗料の色と前記第１累積温度との対応関係を示す第１データとに基づいて、前記第１示温塗料の色に対応する前記第１累積温度を算出することを実行する温度管理方法であって、
前記第１示温塗料は、測定対象物に直接的又は間接的に塗布されている、
温度管理方法。
【請求項５】
取得した前記画像、前記算出による演算結果、所定の条件を満たしていない前記測定対象物の情報のうちいずれか１つ以上を表示する、
請求項４に記載の温度管理方法。
【請求項６】
コンピュータが、
周囲の温度が所定の第１温度を超えている場合に前記第１温度と前記周囲の温度との温度差及び前記周囲の温度が当該第１温度を超えている時間の積である第１累積温度に基づいて色が変化する第１示温塗料が塗布された部分を含む画像を取得し、
前記画像に含まれる前記第１示温塗料の色と、前記第１示温塗料の色と前記第１累積温度との対応関係を示す第１データとに基づいて、前記第１示温塗料の色に対応する前記第１累積温度を算出することを実行するための温度管理プログラムであって、
前記第１示温塗料は、測定対象物に直接的又は間接的に塗布されている、
温度管理プログラム。
【発明の詳細な説明】
【技術分野】
【０００１】
本発明は、温度管理装置、温度管理方法、温度管理プログラムに関する。
【背景技術】
【０００２】
米国食品安全強化法（ＦＳＭＡ：Food Safety Modernization Act）の改正等により、
食品の品質管理の重要性が高まっている。食品の品質管理の項目の一つとして、温度管理がある。
【先行技術文献】
【特許文献】
【０００３】
【特許文献１】特開２０１６−１８０５７７号公報
【発明の概要】
【発明が解決しようとする課題】
【０００４】
食品等の物品の温度管理をするために、品質管理の対象のすべての物品に温度ロガーを設置することが考えられる。しかし、すべての物品に温度ロガーを設置するには、コストがかかるため、通常の物品に温度ロガーを設置することは現実的ではない。
【０００５】
また、物品を含む輸送コンテナや倉庫内に温度ロガーを設置して温度管理をすることも考えられるが、輸送コンテナや倉庫内の温度は必ずしも均一ではなく、物品の温度と異なることがある。
【０００６】
本発明は、個々の物品の温度管理を簡易に行うことを目的とする。
【課題を解決するための手段】
【０００７】
上記課題を解決するために、以下の手段を採用する。
即ち、第１の態様は、
周囲の温度が所定の第１温度を超えている場合に前記第１温度と前記周囲の温度との温度差及び前記周囲の温度が当該第１温度を超えている時間の積である第１累積温度に基づいて色が変化する第１示温塗料が塗布された部分を含む画像を取得する取得部と、
前記第１示温塗料の色と前記第１累積温度との対応関係を示す第１データを格納する記憶部と、
前記画像に含まれる前記第１示温塗料の色と、前記第１データとに基づいて、前記第１示温塗料の色に対応する前記第１累積温度を算出する演算部とを備え、
前記第１示温塗料は、測定対象物に直接的又は間接的に塗布されている、
温度管理装置とする。
【０００８】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。開示の構成は、上記した各手段が実行する処理を行う情報処理装置を含むシステムとして特定されてもよい。
【０００９】
プログラムを記述するステップは、記載された順序に沿って時系列的に行われる処理はもちろん、必ずしも時系列的に処理されなくても、並列的または個別に実行される処理を
含む。プログラムを記述するステップの一部が省略されてもよい。
【発明の効果】
【００１０】
本発明によれば、個々の物品の温度管理を簡易に行うことができる。
【図面の簡単な説明】
【００１１】
【図１】図１は、実施形態の温度管理システムの構成例を示す図である。
【図２】図２は、示温塗料の色と累積温度の対応関係の例１を示す図である。
【図３】図３は、示温塗料の色と累積温度の対応関係の例２を示す図である。
【図４】図４は、累積温度の例を示す図である。
【図５】図５は、コンピュータのハードウェア構成例を示す図である。
【図６】図６は、本実施形態における温度管理システムの動作フローの例を示す図である。
【図７】図７は、累積温度の例を示す図である。
【図８】図８は、管理指標テーブルの例を示す図である。
【図９】図９は、出力部１４０の出力例を示す図である。
【発明を実施するための形態】
【００１２】
以下、図面を参照して実施形態について説明する。実施形態の構成は例示であり、発明の構成は、開示の実施形態の具体的構成に限定されない。発明の実施にあたって、実施形態に応じた具体的構成が適宜採用されてもよい。
【００１３】
（構成例）
図１は、本実施形態の温度管理システムの構成例を示す図である。図１の温度管理システム１０は、情報処理装置１００、カメラ２００、温度管理対象の物品３００を含む。情報処理装置１００は、演算部１１０、記憶部１２０、通信部１３０を含む。温度管理対象の物品３００の表面または物品３００の包装（包装フィルム、包装紙等）、梱包袋、梱包箱に直接的に、これらに添付されるカード、シール等により間接的に、表面に示温塗料が塗布されている。以後、これら包装等を、単に包装ともいう。情報処理装置１００は、温度管理装置の一例である。物品３００は、測定対象物の一例である。情報処理装置１００は、ネットワーク等を介して、サーバ等の他の情報処理装置に接続されてもよい。
【００１４】
ここで使用する示温塗料は、所定の基準温度と当該塗料の温度（当該塗料の周囲の温度）との温度差（ΔＴ）と、ΔＴが正である時間との積に応じて、色が変化する塗料である。ここでは、当該積を累積温度という。示温塗料として使用する物質により、基準温度や累積温度に対する色などを制御することができる。示温塗料は、例えば、累積温度に応じて白色から青色に一方向に変化する。示温塗料の色の変化はこれに限定されるものではない。所定の累積温度まで、示温塗料の色と累積温度とは、１対１に対応する。示温塗料は、所定の基準温度以上の温度から所定の基準温度未満の温度になっても、その色を維持する。示温塗料は、所定の条件のもと、色がリセットされてもよい。また、示温塗料として、所定の基準温度と当該塗料の温度との温度差（ΔＴ）と、ΔＴが負である時間との積に応じて、色が変化する塗料が使用されてもよい。
【００１５】
食品等の物品には、所定の温度範囲で輸送されることが求められるものがある。しかし、一般に、食品等の物品は、所定の温度範囲を一時的に逸脱しても品質劣化はほとんど起こらない。食品等の物品の品質劣化は、所定の温度範囲を逸脱した温度差と逸脱した時間とに基づく累積温度に依存すると考えられる。
【００１６】
情報処理装置１００の演算部１１０は、カメラ２００等から示温塗料を撮影した画像を取得する。演算部１１０は、取得した画像に含まれる示温塗料の色に基づいて、累積温度
を算出する。演算部１１０は、示温塗料の色と累積温度との対応関係を示すデータを記憶部１２０から取得する。
【００１７】
記憶部１２０は、情報処理装置１００で使用されるデータ、テーブル、プログラム等を格納する。記憶部１２０は、示温塗料の色と累積温度との対応関係を示すデータ（例えば、対応テーブル、関係式など）を格納する。記憶部１２０は、カメラ２００から受信した画像を格納する。各画像には、画像の撮影時刻、画像を識別する識別情報、示温塗料が塗布された対象を識別する情報等が対応付けられていてもよい。記憶部１２０は、演算部１１０で算出された累積温度の情報を格納する。示温塗料の色と累積温度との対応関係は、あらかじめ測定されている。
【００１８】
図２は、示温塗料の色と累積温度の対応関係の例１を示す図である。図２のグラフは、横軸が示温塗料の色の変化を表し、縦軸が累積温度を示す。示温塗料の色が白から青に変化するのにつれて、累積温度が徐々に上昇していることがわかる。即ち、示温塗料の周辺の累積温度が徐々に上昇するにつれて、示温塗料が徐々に白から青に変化する。また、示温塗料の色が青に変化した後は、累積温度が上昇しても示温塗料の色は変化しない。図２の例では、示温塗料の色が青である場合には、累積温度がＸ以上であることが分かる。累積温度がＸ以下である場合、示温塗料の色に対して累積温度が一意に決まる。即ち、累積温度は、示温塗料の色の関数である。
【００１９】
図３は、示温塗料の色と累積温度の対応関係の例２を示す図である。図３のグラフは、横軸が示温塗料の色の変化を表し、縦軸が累積温度を示す。示温塗料の色が白から青に変化するのにつれて、累積温度が急激に上昇していることがわかる。即ち、示温塗料の周辺の累積温度が上昇する際に、最初のうちは、白に近い色であるが、累積温度が高くなるにつれて、示温塗料が急激に白から青に変化する。また、示温塗料の色が青に変化した後は、累積温度が上昇しても示温塗料の色は変化しない。図３の例では、示温塗料の色が青である場合には、累積温度がＹ以上であることが分かる。累積温度がＹ以下である場合、示温塗料の色に対して累積温度が一意に決まる。即ち、累積温度は、示温塗料の色の関数である。示温塗料は、累積温度の計測開始時に、累積温度が０である場合に対応する色を示しているとする。
【００２０】
図４は、累積温度の例を示す図である。図４のグラフは、示温塗料の周囲の温度の時間変化の例を表す。図４の横軸は時間で、縦軸は温度である。基準温度は、示温塗料の基準温度である。当該示温塗料は、周囲の温度が基準温度以上である場合に、色が変化する。示温塗料の色は、基準温度と周囲の温度との温度差（ΔＴ）と、基準温度以上である時間との積である累積温度に基づいて変化する。図４のように、累積温度は、基準温度以上の領域で、かつ、温度変化の曲線と基準温度の直線とで囲まれる領域の面積である。
【００２１】
通信部１３０は、ネットワークを介して、他の装置等と、データ、信号の送受信（通信）を行う。また、通信部１３０は、カメラ２００と接続され、カメラ２００に対して撮影の指示を送信し、カメラ２００で撮影された画像をカメラ２００から受信する。通信部１３０は、演算部１１０で算出された累積温度を他の装置等に向けて送信する。通信部１３０は、取得部の一例である。
【００２２】
通信部１３０は、サーバ（図示なし）とネットワークを介して接続し、カメラ２００で撮像した画像をこのサーバに送信して、サーバが保存するようにしてもよい。また、サーバ内で、この画像と物品３００の産地や収穫などの情報とを関連付けて保存してもよい。
【００２３】
出力部１４０は、算出された累積温度等を、情報処理装置１００の利用者等に向けて表示するディスプレイを含む。
【００２４】
図９は、出力部の出力例を示す図である。図９の出力例の左側上段には、顧客情報、管理番号、配送車情報、出発日時、到着予定日時、設定条件範囲内の状態で物品３００が輸送されていたかに基づく受取できるか否かの情報（ＧＯ／ＮＯ  ＧＯのサイン）などが表示されている。受け取れない物品３００があれば、その物品番号を表示するようにしてもよい。
【００２５】
図９の出力例の左側下段には、計測日時とその時における物品３００が保管されている輸送トラック等の輸送手段内の温度が表示されている。計測日時は、計測開始日時から計測終了日時までの一定の間隔としてある。
【００２６】
図９の出力例の右側上段には、物品３００が輸送手段に搬入された場所、輸送手段から搬出される場所と、その間のルートを地図で表示されている。異常が発生したときに、トラック等の輸送手段が何処を走行していたか、距離計やＧＰＳ受信器で走行場所を特定することもできる。
【００２７】
図９の出力例の右側中段には、日時と温度の関係をグラフにしたものが表示されている。図９の横軸は時間で、縦軸は温度である。ここで使用する温度は、輸送トラック等の輸送手段内に設置される温度計が示す温度である。グラフ内に、異常が発生した物品３００を表示して、異常が発生した日時に物品番号、異常を示す記号などを表示するようにしてもよい。
【００２８】
図９の出力例の右側下段には、出発時における物品３００や物品３００の包装に塗布した示温塗料の色と、到着時における物品３００や物品３００の包装に塗布した示温塗料の色を、測定する個数分をカード形式で表示している。カード形式の外枠に、所定の温度状態で配送されて品質上の問題がなく受け取れるものを緑色、逆に品質上の問題があるものは赤色などと、示温塗料の色と異なる色で表示してもよい。
【００２９】
また、出力部１４０は、ディスプレイに代わって、あるいはディスプレイと共に温度管理状態を報告書の形式を印刷するプリンタを備えていてもよい。
【００３０】
情報処理装置１００における動作は、ネットワーク等を介して情報処理装置１００に接続されるサーバ等の他の情報処理装置によって行われてもよい。
【００３１】
カメラ２００は、温度管理対象の物品３００に対応付けられて塗布された示温塗料を、撮影する。カメラ２００は、例えば、所定時間毎に、示温塗料を撮影する。また、カメラ２００は、情報処理装置１００からの指示に基づいて、示温塗料を撮影してもよい。カメラ２００は、撮影した画像を、情報処理装置１００に送信する。
【００３２】
物品３００は、例えば、温度管理が求められる食品、材料、精密機器、動植物等である。物品３００は、これらに限定されるものではない。上記のように、物品３００、または、物品３００の包装等の表面に、示温塗料が塗布されている。また、物品３００または物品３００の包装等に示温塗料が塗布されたカードやシール等が添付されていてもよい。示温塗料は、外部から視認できる位置に存在する。示温塗料の周辺には、物品３００や示温塗料を識別する識別情報が記載されていてもよい。温度管理対象の物品３００には、包装等に塗布された示温塗料が対応付けられている。
【００３３】
情報処理装置１００は、ＰＣ（Personal Computer）、スマートフォン、携帯電話、タ
ブレット型端末、カーナビゲーション装置、ＰＤＡ（Personal Digital Assistant）、ワークステーション（ＷＳ、Work Station）のような専用または汎用のコンピュータ、ある
いは、コンピュータを搭載した電子機器を使用して実現可能である。
【００３４】
図５は、コンピュータのハードウェア構成例を示す図である。図５に示すコンピュータは、一般的なコンピュータの構成を有している。情報処理装置１００は、図５に示すようなコンピュータ９０によって実現される。図５のコンピュータ９０は、プロセッサ９１、メモリ９２、記憶部９３、入力部９４、出力部９５、通信制御部９６を有する。メモリ９２はプロセッサ９１と直接接続し、メモリ９２以外は互いにバスによって接続される。記憶部９３は、コンピュータ読み取り可能な記録媒体である。コンピュータのハードウェア構成は、図５に示される例に限らず、適宜構成要素の省略、置換、追加が行われてもよい。
【００３５】
コンピュータ９０は、プロセッサ９１が記録媒体に記憶されたプログラムおよび各種データや各種テーブルをメモリ９２の作業領域にロードして実行し、プログラムの実行を通じて各構成部等が制御されることによって、所定の目的に合致した機能を実現することができる。
【００３６】
プロセッサ９１は、例えば、ＣＰＵ（Central Processing Unit）やＤＳＰ（Digital Signal Processor）である。
【００３７】
メモリ９２は、例えば、ＲＡＭ（Random Access Memory）やＲＯＭ（Read Only Memory）を含む。メモリ９２は、主記憶装置とも呼ばれる。
【００３８】
記憶部９３は、例えば、ＥＰＲＯＭ（Erasable Programmable ROM）、ハードディスク
ドライブ（ＨＤＤ、Hard Disk Drive）である。また、記憶部９３は、リムーバブルメデ
ィア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。記憶部９３は、二次記憶装置とも呼ばれる。
【００３９】
記憶部９３は、各種のプログラム、各種のデータ及び各種のテーブルを読み書き自在に記録媒体に格納する。記憶部９３には、オペレーティングシステム（Operating System :ＯＳ）、各種プログラム、各種テーブル等が格納される。記憶部９３に格納される情報は、メモリ９２に格納されてもよい。また、メモリ９２に格納される情報は、記憶部９３に格納されてもよい。
【００４０】
オペレーティングシステムは、ソフトウェアとハードウェアとの仲介、メモリ空間の管理、ファイル管理、プロセスやタスクの管理等を行うソフトウェアである。オペレーティングシステムは、通信インタフェースを含む。通信インタフェースは、通信制御部９６を介して接続される他の外部装置等とデータのやり取りを行うプログラムである。外部装置等には、例えば、他のコンピュータ、外部記憶装置等が含まれる。
【００４１】
入力部９４は、キーボード、ポインティングデバイス、ワイヤレスリモコン、タッチパネル等を含む。また、入力部９４は、カメラのような映像や画像の入力装置や、マイクロフォンのような音声の入力装置を含むことができる。
【００４２】
出力部９５は、ＬＣＤ（Liquid Crystal Display）、ＥＬ（Electroluminescence）パ
ネル、ＣＲＴ（Cathode Ray Tube）ディスプレイ、ＰＤＰ（Plasma Display Panel）等の表示装置、プリンタ等の出力装置を含む。また、出力部９５は、スピーカのような音声の出力装置を含むことができる。
【００４３】
通信制御部９６は、他の装置と接続し、コンピュータ９０と他の装置との間の通信を制御する。通信制御部９６は、例えば、ＬＡＮ（Local Area Network）インタフェースボード、無線通信のための無線通信回路、有線通信のための通信回路である。ＬＡＮインタフェースボードや無線通信回路は、インターネット等のネットワークに接続される。
【００４４】
情報処理装置１００を実現するコンピュータは、プロセッサが補助記憶装置に記憶されているプログラムを主記憶装置にロードして実行することによって、各機能部としての機能を実現する。一方、情報処理装置１００の記憶部は、主記憶装置または補助記憶装置の記憶領域に設けられる。
【００４５】
（動作例）
図６は、本実施形態における温度管理システムの動作フローの例を示す図である。温度管理システム１０の情報処理装置１００には、カメラ２００が、通信可能に、接続されている。また、カメラ２００の前には、示温塗料が塗布された梱包箱等に入れられた物品３００が存在する。カメラ２００は、当該示温塗料を撮影できるようにされている。また、カメラ２００とともに、所定の照明が使用されてもよい。所定の照明を使用することにより、周囲の明るさ、色温度等に依存せず、示温塗料の色の撮影を安定的に行うことができる。
【００４６】
Ｓ１０１では、情報処理装置１００の演算部１１０は、通信部１３０を介して、カメラ２００に、示温塗料の塗布部分を含む物品３００を撮影することを指示する。カメラ２００は、情報処理装置１００からの指示に基づいて、示温塗料の塗布部分を含む物品３００を撮影する。カメラ２００は、撮影した画像を、情報処理装置１００に送信する。情報処理装置１００の演算部１１０は、通信部１３０を介して、カメラ２００で撮影された画像を受信する。演算部１１０は、受信した画像を記憶部１２０に格納する。記憶部１２０に記憶する画像には、撮影日時等が対応付けられていてもよい。情報処理装置１００は、カメラ２００によってあらかじめ撮影された画像を、取得してもよい。情報処理装置１００が取得する画像は、複数の物品３００に対応する示温塗料の複数の塗布部分を撮影した複数の画像であってもよい。
【００４７】
Ｓ１０２では、演算部１１０は、カメラ２００で撮影された画像から、示温塗料の塗布部分を抽出し、当該塗布部分の色が所定の色に一致している否かを判定する。演算部１１０は、撮影された画像において、例えば、示温塗料を示す識別情報等に基づいて、示温塗料の塗布部分を抽出する。示温塗料の周囲には、あらかじめ設定された示温塗料を識別する図形、記号、文字列の情報等が描画されるようにしてもよい。演算部１１０は、示温塗料の位置を認識し、示温塗料の塗布部分を抽出する。また、カメラ２００での撮影の際に、あらかじめ、画像における示温塗料の塗布部分の領域を決定しておき、演算部１１０は、当該領域を示温塗料の塗布部分として、抽出してもよい。
【００４８】
演算部１１０は、抽出した塗布部分の色を検出する。演算部１１０は、塗布部分の色が均一でない場合、塗布部分の色の平均値を、塗布部分の色とする。また、演算部１１０は、塗布部分の色が均一でない場合、塗布部分において、最も広い領域を占める色を、塗布部分の色として検出してもよい。また、演算部１１０は、塗布部分の色が均一でない場合、塗布部分の中央部分の色を、塗布部分の色として検出してもよい。演算部１１０は、検出した塗布部分の色を、記憶部１２０に格納する。なお、塗布部分の色は、平均値以外にも中央値や最頻値であってもよい。演算部１１０は、検出した塗布部分の色から、対応関係を示すデータに含まれる示温塗料の色と一致しているか否かを判断する。両者の色が一致していない場合（Ｓ１０２；ＮＯ）、Ｓ１０１に戻って再度画像を取得する。両者の色が一致している場合（Ｓ１０２；ＹＥＳ）、処理がＳ１０３に進む。
【００４９】
Ｓ１０３では、演算部１１０は、検出した塗布部分の色から、累積温度を算出する。演算部１１０は、記憶部１２０に格納される示温塗料の色と累積温度との対応関係を示すデータから、塗布部分の色に対応する累積温度を算出する。演算部１１０は、算出した累積温度を、記憶部１２０に格納する。
【００５０】
Ｓ１０４では、演算部１１０は、算出された累積温度等を、出力部１４０に表示させる。出力部１４０は、情報処理装置１００の利用者等に向けて、算出された累積温度等をディスプレイ等に表示する。物品３００の温度管理を行う情報処理装置１００等の利用者は、物品３００の累積温度を確認することができる。利用者は、累積温度を確認することで、例えば、物品３００の品質を保証したり、物品３００の廃棄の判断を行ったりすることができる。また、演算部１１０は、算出された累積温度を、通信部１３０を介して、サーバ等の他の情報処理装置に送信してもよい。
【００５１】
また、演算部１１０は、図８に示した管理指標テーブルＴ１００に基づいて、物品３００が品質を保証できる状態であったか否かを利用者に代わって判断することもできる。管理指標テーブルＴ１００は、物品３００の物品名と物品３００の累積温度閾値が記載されている。物品３００の測定した累積温度が累積温度閾値を超えたとき、演算部１１０は物品３００の品質を保証することができないと判断する。利用者は、この結果から品質を保証することができない物品３００を受け取らない、とすることができる。
【００５２】
示温塗料は、累積温度の計測開始時に、累積温度０の色を示しているとする。また、累積温度の計測開始時と計測終了時に示温塗料の色を撮影し、計測終了時の色に対応する累積温度と計測開始時の色に対応する累積温度との差から、計測開始時と計測終了時との間の期間における累積温度が算出されてもよい。
【００５３】
（変形例）
上記の例では、１種類の示温塗料が用いられたが、２種類以上の示温塗料が用いられてもよい。ここでは、基準温度の異なる２種類の示温塗料を使用する例について説明する。この場合における温度管理システム１０の動作は、上記の例との共通点と相違点とを有する。ここでは、主に、相違部分について説明する。
【００５４】
物品３００（または物品３００の包装等）には、第１温度を基準温度とする第１示温塗料と、第１温度より高い第２温度を基準とする第２示温塗料とが、塗布されるとする。Ｓ１０１において、カメラ２００は、第１示温塗料の塗布部分と第２示温塗料の塗布部分とが含まれるように物品３００を撮影する。Ｓ１０２では、演算部１１０は、第１示温塗料の塗布部分の色と第２示温塗料の塗布部分の色とを、撮影された画像から抽出する。Ｓ１０３では、演算部１１０は、第１示温塗料の色に基づいて、第１示温塗料の累積温度と、第２示温塗料の色に基づいて、第２示温塗料の累積温度とを算出する。Ｓ１０４では、演算部１１０は、各累積温度を出力する。
【００５５】
例えば、第１示温塗料だけでは、物品３００が第１温度以上に達したか否かを認識することはできても、第２温度以上に達したか否かを認識することは難しい。しかし、第２示温塗料を併用することで、第２温度以上に達したか否かを認識することができるようになる。第１示温塗料による累積温度と、第２示温塗料による累積温度を用いることで、物品３００の周囲の温度の履歴を、例えば設定温度に対する上下の温度変動を管理する等、より詳細に認識することができる。
【００５６】
図７は、累積温度の例を示す図である。図７のグラフは、示温塗料の周囲の温度の時間変化の例を表す。図７の横軸は時間で、縦軸は温度である。第１温度は、第１示温塗料の基準温度である。第２温度は、第２示温塗料の基準温度である。図７の温度の時間変化の
ように、示温塗料の周囲の温度が、第１温度の上下で変化し、第２温度には達しない場合、第１示温塗料の累積温度は、０より大きい値となるが、第２示温塗料の累積温度は、０となる。このとき、利用者は、示温塗料の周囲の温度が第１温度に達したものの、第２温度には達しなかったことを認識することができる。
【００５７】
示温塗料の色が飽和する累積温度を超えると、当該累積温度以上の累積温度を認識することが難しい。また、飽和する累積温度が高い示温塗料を使用すると、累積温度が小さい場合に、累積温度の算出が難しくなることがある。飽和する累積温度が高い示温塗料では、累積温度の変化に対する色の変化が小さくなるからである。このとき、基準温度が同じで、色が飽和する累積温度が異なる２種類の示温塗料（色が飽和する累積温度がより小さい第１示温塗料と色が飽和する累積温度がより大きい第２示温塗料）が使用されてもよい。このとき、累積温度が小さい場合には、第１示温塗料の色により累積温度を算出し、第１示温塗料の色が飽和する累積温度を超える累積温度に対しては、第２示温塗料の色により累積温度を算出する。これにより、物品３００の広範囲の累積温度をより正確に算出することができる。
【００５８】
（実施形態の作用、効果）
温度管理システム１０は、物品３００や物品３００の包装に塗布した示温塗料の色により、累積温度を算出する。累積温度は、基準温度と示温塗料の周囲の温度との温度差（周囲の温度が基準温度を超えている場合に限る）の情報と、基準温度を超えた時間の情報とを含む。温度管理システム１０は、示温塗料を使用することで、温度ロガー等を使用する場合に比べ、物品３００の温度管理を簡易に行うことができる。
【００５９】
例えば、物品３００の輸送開始時に、物品３００の梱包箱に示温塗料を塗布しておく。情報処理装置１００は、輸送完了時に撮影された物品３００に対応する示温塗料の塗布部分を含む画像により、物品３００の累積温度を算出する。利用者は、累積温度を使用することで、輸送中に基準温度を超えたのが長時間にわたっていたのか否か、温度が基準温度を大幅に超えていたのか否か等を認識することができる。食品等の物品３００は、所定の基準温度を短時間超えていた場合でも、品質を維持できることがある。また、所定の基準温度を少しでも超えた事実が明確になるので、温度によって品質に影響が出てしまう食品等の物品３００は、品質を維持できないことがある。このような場合に、温度管理システム１０を使用して累積温度を算出することで、物品３００の品質保証の可否を判断することができる。時間の情報が含まれた累積温度を用いることで、物品３００の品質をより正確に判断することができる。これにより、物品３００の不必要な廃棄を低減することができる。
【００６０】
また、示温塗料が、基準温度と示温塗料の周囲の温度との温度差（周囲の温度が基準温度を下回っている場合に限る）と、基準温度を下回った時間との積である累積温度に基づいて、色が変化する場合も、同様である。この場合、物品３００の周囲の温度が基準温度を下回ったときの基準温度との温度差と基準温度を下回った時間との積による累積温度が算出される。当該示温塗料も用いることで、利用者は、物品が所定の温度範囲に保たれていたか否かや温度範囲を逸脱した場合の累積温度を認識することができる。
【００６１】
以上の実施形態等の構成は、可能な限り組み合わせて実施され得る。
【００６２】
〈コンピュータ読み取り可能な記録媒体〉
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００６３】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体内には、ＣＰＵ、メモリ等のコンピュータを構成する要素を設け、そのＣＰＵにプログラムを実行させてもよい。
【００６４】
また、このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８mmテープ、メモリカード等がある。
【００６５】
また、コンピュータ等に固定された記録媒体としてハードディスクやＲＯＭ等がある。
【符号の説明】
【００６６】
１０    温度管理システム
１００    情報処理装置
１１０      演算部
１２０      記憶部
１３０      通信部
１４０      出力部
２００    カメラ
３００    物品
９０    コンピュータ
９１      プロセッサ
９２      メモリ
９３      記憶部
９４      入力部
９５      出力部
９６      通信制御部
【図１】
2018155514.tif 000003
【図２】
2018155514.tif 000004
【図３】
2018155514.tif 000005
【図４】
2018155514.tif 000006
【図５】
2018155514.tif 000007
【図６】
2018155514.tif 000008
【図７】
2018155514.tif 000009
【図８】
2018155514.tif 000010
【図９】
2018155514.tif 000011